(57)【要約】【課題】便座の裏面の清浄性を向上し得る便器装置を提供する。【解決手段】便器装置１は、殺菌光を照射する殺菌光照射部２０と、ボウル部１０の上端に洗浄水をガイドするように周方向に沿って設けられたリム部１１の上面に載置されるように配される便座１５と、該便座を倒伏させた状態で、前記殺菌光照射部に殺菌光を照射させる制御部２５と、を備えており、前記リム部には、倒伏状態で下方側に向く前記便座の裏面１５ａに殺菌光が透過して照射されるように、透光部１２が設けられている。【選択図】図１
2017008607.tif 000002
【特許請求の範囲】
【請求項１】
殺菌光を照射する殺菌光照射部と、前記ボウル部の上端に洗浄水をガイドするように周方向に沿って設けられたリム部の上面に載置されるように配される便座と、該便座を倒伏させた状態で、前記殺菌光照射部に殺菌光を照射させる制御部と、を備えており、
前記リム部には、倒伏状態で下方側に向く前記便座の裏面に殺菌光が透過して照射されるように、透光部が設けられていることを特徴とする便器装置。
【請求項２】
請求項１において、
前記ボウル部の内面を、高反射面としたことを特徴とする便器装置。
【請求項３】
請求項１または２において、
前記便座を覆うように閉鎖状態とされる便蓋を備えており、
前記制御部は、前記便蓋を閉鎖させた状態で、前記殺菌光照射部に殺菌光を照射させることを特徴とする便器装置。
【請求項４】
請求項３において、
閉鎖状態で下方側に向く前記便蓋の裏面を、高反射面としたことを特徴とする便器装置。
【請求項５】
請求項１乃至４のいずれか１項において、
進退自在とされた局部洗浄用のノズルを備えており、
前記制御部は、前記ノズルを進出させた状態で、前記殺菌光照射部に殺菌光を照射させることを特徴とする便器装置。
【発明の詳細な説明】
【技術分野】
【０００１】
本発明は、ボウル部の上端のリム部に載置される便座を備えた便器装置に関する。
【背景技術】
【０００２】
従来より、ボウル部の内面等に殺菌光を照射する構成とされた便器装置が知られている。
例えば、下記特許文献１には、便座蓋に設けられた殺菌灯から照射された紫外線を、便器内部において乱反射させる構成とされた洋式殺菌便器の開示がある。
【先行技術文献】
【特許文献】
【０００３】
【特許文献１】特開２０１４−２３６９４８号公報
【発明の概要】
【発明が解決しようとする課題】
【０００４】
しかしながら、上記特許文献１に記載された洋式殺菌便器では、便座の裏面には、ボウル部の上端に設けられたリム部によって遮られるため、紫外線が照射され難くなることが考えられ、更なる改善が望まれる。
【０００５】
本発明は、上記実情に鑑みてなされたものであり、便座の裏面の清浄性を向上し得る便器装置を提供することを目的としている。
【課題を解決するための手段】
【０００６】
前記目的を達成するために、本発明に係る便器装置は、殺菌光を照射する殺菌光照射部と、ボウル部の上端に洗浄水をガイドするように周方向に沿って設けられたリム部の上面に載置されるように配される便座と、該便座を倒伏させた状態で、前記殺菌光照射部に殺菌光を照射させる制御部と、を備えており、前記リム部には、倒伏状態で下方側に向く前記便座の裏面に殺菌光が透過して照射されるように、透光部が設けられていることを特徴とする。
【発明の効果】
【０００７】
本発明に係る便器装置は、上述のような構成としたことで、便座の裏面の清浄性を向上させることができる。
【図面の簡単な説明】
【０００８】
【図１】本発明の一実施形態に係る便器装置の一例を模式的に示す一部破断概略縦断面図である。
【図２】（ａ）は、図１におけるＸ１部に対応させた一部破断概略拡大縦断面図、（ｂ）は、同便器装置の一例を模式的に示す一部を省略した一部破断概略平面図である。
【図３】同便器装置において実行される基本動作の一例を模式的に示す概略タイムチャートである。
【図４】本発明の他の実施形態に係る便器装置の一例を模式的に示す一部破断概略縦断面図である。
【図５】（ａ）は、図４におけるＸ２部に対応させた一部破断概略拡大縦断面図、（ｂ）は、同便器装置の一例を模式的に示す一部を省略した一部破断概略平面図である。
【図６】本発明の更に他の実施形態に係る便器装置の一例を模式的に示し、図５（ａ）に対応させた一部破断概略拡大縦断面図である。
【発明を実施するための形態】
【０００９】
以下に本発明の実施の形態について、図面に基づいて説明する。
なお、以下の各実施形態では、便器装置を設置した状態を基準として上下方向等の方向を説明する。
【００１０】
図１及び図２は、第１実施形態に係る便器装置の一例を模式的に示す図である。
本実施形態に係る便器装置１は、図１に示すように、床等の設置面に設置される着座式のいわゆる洋式の便器装置とされている。
この便器装置１には、ボウル部（便鉢）１０や、給排水管に接続される給排水機構等が設けられている。また、便器装置１は、殺菌光を照射する殺菌光照射部２０と、ボウル部１０の上端に洗浄水をガイドするように周方向に沿って設けられたリム部１１の上面に載置されるように配される便座１５と、を備えている。この便座１５は、ボウル部１０に対して起倒自在とされている。また、便器装置１には、ボウル部１０に対して開閉自在（起倒自在）とされた便蓋１６が設けられている。
【００１１】
また、この便器装置１に、脱臭装置や、便座１５や局部洗浄用水等を温める加熱装置、洗浄水に洗剤を含ませる洗剤供給装置、洗浄水に殺菌成分を含ませる殺菌成分供給装置等の各種機能装置や機能部材を設けた構成としてもよい。
また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１２】
また、便器装置１は、給水元となる給水管（水道管）に接続され、ボウル部１０に洗浄水を供給する洗浄水給水機構を備えている。このような洗浄水給水機構としては、リム部１１に沿わせるように洗浄水を給水し、ボウル部１０を洗浄する構成とされたものとしてもよい。図例では、便器装置１を、水洗タンクを備えていない、いわゆるタンクレスタイプのものとした例を示している。この便器装置１は、水道直圧式としてもよい。なお、便器装置１の給水機構としては、このようなタンクレスタイプに限られず、水洗タンクを備えた構成としてもよい。
また、便器装置１には、洗浄水給水機構を作動させて洗浄水をボウル部１０に供給する洗浄操作部が設けられている。このような洗浄操作部としては、操作レバーや操作ボタン等としてもよく、また、人体検知センサーや着座センサー等の各種センサーを洗浄操作部として把握、つまり、検知を操作と把握するような態様としてもよい。
この洗浄水給水機構の洗浄操作がなされれば、リム部１１に沿うように洗浄水が供給され、ボウル部１０の内面１０ａの洗浄がなされる。
【００１３】
また、便器装置１には、外部排水管に連通し、排水機構を構成するトラップ部１４が設けられている。図例では、トラップ部１４を、一端がボウル部１０の下部に設けられた排水管部に接続され、他端の排水口が上方側を向きボウル部１０に溜水可能とする溜水状態と下方側を向く排水状態とに切り替えられる、いわゆるターントラップ式のものとしている。なお、便器装置１に設けられるトラップ部１４としては、このようなターントラップ式に限られず、サイホンゼット式やサイホン式、サイホンボルテックス式、ネオボルテックス式、洗い落とし式等の他の排水機構を採用するようにしてもよい。
【００１４】
また、便器装置１のボウル部１０の便器奥行方向奥側の上側部位には、便座１５や便蓋１６等を開閉自在に保持する機構部等が設けられた上ケース部１７が設けられている。
本実施形態では、便器装置１に、開放（起立）された便蓋１６を閉鎖（倒伏）させるモーター等を有した便蓋閉鎖機構を設けている。なお、この便蓋閉鎖機構は、閉鎖された便蓋１６を開放可能な構成とされたものとしてもよく、便座１５の開閉（起倒）をも可能な構成とされたものとしてもよい。
また、便器装置１には、便蓋１６の開閉を検知する便蓋センサーが設けられている。このような便蓋センサーとしては、便蓋１６の起立または倒伏によって操作されるリミットスイッチや、便蓋１６の枢軸の回転角を検出する回転角センサー、その他、種々のセンサーとしてもよい。なお、便座１５の起倒を検知する便座センサーを設けた構成としてもよい。
【００１５】
ボウル部１０は、上方に向けて開口するすり鉢状とされている。
本実施形態では、ボウル部１０の内面１０ａを、高反射面としている。ボウル部１０の上端に設けられたリム部１１の少なくとも近傍部位を含み、ボウル部１０の内面１０ａの略全体を、高反射面としてもよい。
便座１５は、倒伏状態で、裏面１５ａがリム部１１の上面に対向するようにリム部１１に載置される。図例では、便座１５の裏面１５ａにリム部１１の上面に当接されるゴムや軟質樹脂等からなる緩衝部を設け、便座１５を倒伏させた状態で、便座１５の裏面１５ａとリム部１１の上面との間に隙間が形成されるものとした例を示している。
便蓋１６は、便座１５を覆うように閉鎖（倒伏）される。
本実施形態では、閉鎖状態で下方側に向く便蓋１６の裏面１６ａを、高反射面としている。便蓋１６の裏面１６ａの略全体を、高反射面としてもよい。なお、便蓋１６の閉鎖状態で下方側に向く裏面１６ａに加えて、便蓋１６の周縁部に閉鎖状態における下方側に向けて突出するように設けられた側周部の内面を高反射面としてもよい。
【００１６】
これらボウル部１０の内面１０ａ及び便蓋１６の裏面１６ａは、一方向から入射した殺菌光を、正反射（鏡面反射）させる鏡面状とされたものとしてもよい。また、これらボウル部１０の内面１０ａ及び便蓋１６の裏面１６ａは、殺菌光の拡散反射や吸収を抑制可能なように、例えば、研磨等によって鏡面（高光沢面）仕上が施されたものとしてもよく、高反射層が設けられたものとしてもよい。高反射層としては、遮熱塗料や高光沢性の塗料等を塗布することで設けられたものとしてもよく、貼着や蒸着等によって設けられたものとしてもよい。
また、このように鏡面仕上されまたは高反射層が設けられたボウル部１０の内面１０ａ及び便蓋１６の裏面１６ａは、無処理のものと比べて、反射率が大きくなる構成とされたものとしてもよい。
【００１７】
また、便器装置１は、図１に示すように、進退自在とされた局部洗浄用のノズル１８を備えている。
ノズル１８は、略円筒状とされており、その長手方向に沿って収納位置と洗浄位置とを進退自在とされている。このノズル１８は、ボウル部１０の上端部内壁の便器奥行方向奥側に設けられた開口を介して便器奥行方向手前側となるボウル部１０内の中心側に向けて突出するように進出される。また、このノズル１８を、斜め下方側に向けて進出される構成としている。また、図例では、開口を開閉するノズル蓋を設けた構成としている。
また、このノズル１８に洗浄水（局部洗浄水）を供給する給水路や、洗浄水を加熱するヒーター等が適所に設けられている。また、ノズル１８には、洗浄位置において、局部に向けて洗浄水（局部洗浄水）を吐出するノズル孔が設けられている。なお、ノズル１８を、例えば、臀部用とビデ用とに対応可能な構成としてもよい。また、このノズル１８を進退させる機構としては、適宜の駆動機構を採用するようにしてもよい。また、ノズル１８は、耐久性や清浄性等の観点等から、適宜の金属系材料や硬質の合成樹脂系材料から形成されたものとしてもよく、好ましくは、ステンレス等の防錆性を有する金属系材料から形成されたものとしてもよい。
【００１８】
また、ノズル１８は、便器装置１のリモコン装置や、便座１５の側方部位等に設けられた局部洗浄操作部１９（図３参照）によって操作がなされる。
この局部洗浄操作部１９の操作（開始（ＯＮ）操作）がなされれば、ノズル１８が洗浄位置に進出し、ノズル孔から洗浄水が吐出される。なお、この局部洗浄操作部１９は、局部洗浄開始（ＯＮ）操作と停止（ＯＦＦ）操作とが可能な構成とされたものとしてもよく、または、別途に停止操作部を設けたような態様としてもよい。さらには、局部洗浄操作部１９の操作（開始操作）後に、所定時間が経過すれば、局部洗浄を停止するような態様とされたものとしてもよい。
また、上記のように、ノズル１８を、臀部用とビデ用とに対応可能とした場合には、臀部用の局部洗浄操作部１９とビデ用の局部洗浄操作部１９とを設けた態様としてもよい。また、適所に洗浄水の水勢調整や洗浄水の温度調整を可能とする機構や操作部等を設けた態様としてもよい。
【００１９】
殺菌光照射部２０は、殺菌作用を有する殺菌光を照射する構成とされている。このような殺菌光照射部２０としては、紫外線領域の不可視光線を照射する構成とされたものとしてもよく、また、不可視光線に代えて、または加えて可視光線を照射する構成とされたものとしてもよい。このような殺菌光照射部２０としては、キセノンランプや、高圧水銀ランプや低圧水銀ランプ等の水銀ランプ、ＬＥＤ等の殺菌光源を備えたものとしてもよく、その他、種々の殺菌光源を備えたものとしてもよい。
【００２０】
本実施形態では、殺菌光照射部２０を、ボウル部１０の内面１０ａに向けて殺菌光を照射する構成としている。また、進出状態とされたノズル１８に対して殺菌光を照射可能な構成としている。
また、本実施形態では、殺菌光照射部２０を、便蓋１６の裏面１６ａに設けている。この殺菌光照射部２０は、倒伏状態とされた便座１５によって殺菌光が遮られないように、便蓋１６が閉鎖された状態で、平面視して便座１５の開口と重なり合う位置となるように設けられたものとしてもよい。
この殺菌光照射部２０の配設位置は、ボウル部１０の内面１０ａ及び進出状態とされたノズル１８に効果的に照射可能なように適宜の位置とすればよい。図例では、殺菌光照射部２０を、便蓋１６が閉鎖された状態で、ボウル部１０の便器奥行方向中央部位よりも便器奥行方向奥側に位置するように設けた例を示している。また、殺菌光照射部２０を、便器幅方向略中央部位に位置するように設けた構成としてもよい。
【００２１】
なお、殺菌光照射部２０としては、殺菌光源自体を便蓋１６の裏面１６ａに設けたものに限られず、例えば、殺菌光源を上ケース部１７内等に設け、この殺菌光源からの殺菌光を適宜の導光体によって導光し、便蓋１６の裏面１６ａから照射する構成とされたものとしてもよい。
また、殺菌光照射部２０としては、便蓋１６の裏面１６ａに設けられたものに限られず、ボウル部１０内の適所に設けられたものとしてもよい。また、殺菌光照射部２０は、起動（ＯＮ）された際に、殺菌光を連続的に照射する構成とされたものに限られず、パルス的（間欠的）に照射する構成とされたものとしてもよい。このような殺菌光照射部２０としては、その他、種々の変形が可能である。
【００２２】
また、ボウル部１０のリム部１１には、倒伏状態で下方側に向く便座１５の裏面１５ａに殺菌光が透過して照射されるように、透光部１２が設けられている。
本実施形態では、リム部１１を、概ね水平方向となる平面視におけるボウル部１０中心側に開口するように、かつ周方向に延びるように凹溝１３を設けたいわゆるオープンリムとしている。この凹溝１３に沿わせるように、上記した洗浄水供給機構の洗浄水供給口から洗浄水が供給される。
また、この凹溝１３は、凹溝１３の溝幅方向一方側の溝内側面を構成し、下方側に向く裏面１３ａと、凹溝１３の溝底面を構成し、平面視におけるボウル部１０中心側を向く内側周面１３ｂと、によって区画されている。裏面１３ａは、図例では、溝長手方向に見て、概ね全体に亘って凹湾曲面状とされている。内側周面１３ｂは、図例では、溝長手方向に見て、僅かに斜め上方側に向く形状とされている。また、凹溝１３の溝幅方向他方側の溝内側面は、溝長手方向に見て、斜め上方側を向くように設けられており、ボウル部１０の内面１０ａに一連状に設けられている。なお、凹溝１３の溝長手方向に見た形状は、図例のような形状に限られず、また、凹溝１３の全長に亘って一様な形状とされたものに限られず、適宜の形状とされたものとしてもよい。例えば、凹溝１３の溝幅方向他方側の溝内側面が内側周面１３ｂと略同一平面状とされたもの、つまりは、凹溝１３の溝幅方向他方側を区画するような面がないようなもの等としてもよい。
【００２３】
また、リム部１１は、ボウル部１０の上端にオーバーハング状（庇状）の飛散防止壁が形成されるように、ボウル部１０の上端縁から平面視におけるボウル部１０中心側に向けて突出するように設けられている。
本実施形態では、図１及び図２（ａ）に示すように、このリム部１１における内側周面１３ｂよりもボウル部１０中心側に向けて突出するように設けられた突出部位を、透光部１２としている。つまり、リム部１１の内面を構成する裏面１３ａを、透光部１２によって構成している。
この透光部１２は、本実施形態では、殺菌光照射部２０からボウル部１０の内面１０ａに向けて照射され、内面１０ａにおいて反射した反射光を透過させて便座１５の裏面１５ａに照射する構成とされている。また、便器本体の外郭を構成するスカート部に連なるリム部１１の表面側部位（外周側部位）を非透光部とし、この非透光部よりも内周側部位を透光部１２としている。つまり、便器本体の外周面側には露出しないように透光部１２を設けた構成としている。図例では、リム部１１の突出部位の全体に加えて外周面側の部位も透光部１２とした例を示しているが、リム部１１の突出部位の便座１５の裏面１５ａに対面される部位の大半を透光部１２としてもよい。
【００２４】
この透光部１２の幅寸法（リム部１１の突出方向に概ね沿う寸法）は、便座１５の裏面１５ａに殺菌光が効果的に照射されるように適宜の寸法としてもよい。図例では、透光部１２の幅寸法を、透光部１２の上面が便座１５の裏面１５ａに大半に亘って対面するような寸法とした例を示している。
また、本実施形態では、図２（ｂ）に示すように、ボウル部１０の便器奥行方向奥側部位における便器幅方向一方側部位から便器幅方向他方側部位に亘ってリム部１１の突出部位を構成するように、透光部１２を設けた構成としている。図例では、平面視して略Ｕ字状に透光部１２を設けた例を示している。なお、このような態様に代えて、透光部１２をボウル部１０の上端周縁の全周に亘って設けた構成等としてもよい。
【００２５】
また、透光部１２は、入射された殺菌光を、入射方向と概ね同方向に透過させる構成とされたものとしてもよく、また、拡散したり、集束させるように透過させる構成とされたものとしてもよい。
また、透光部１２は、アクリル樹脂やポリカーボネート樹脂等の透光性または透明の樹脂系材料や、強化ガラス等から形成されたものとしてもよい。また、透光部１２は、リム部１１の他の部位や便器本体に、二色成形（異材質成形）等によって一体的に成形されたものとしてもよく、別体とされたものを適宜の接着剤等によって接合して設けられたものとしてもよい。
また、透光部１２を除いた凹溝１３を構成するリム部１１の内面１３ｂを、ボウル部１０の内面１０ａと同様な高反射面としてもよい。
【００２６】
また、便器装置１は、上記した各部を制御する制御部２５を備えている。
この制御部２５は、便器装置１の適所に設けるようにしてもよく、または、壁面等に設置される便器装置１が備えるリモコン装置に設けるようにしてもよい。
また、制御部２５には、例えば、ＣＰＵ等の制御回路や、メモリ等によって構成され、後記する基本動作例を含む各種動作プログラム等を記憶する記憶部等が設けられている。
この制御部２５によって後記する基本動作の実行がなされる。
本実施形態では、この制御部２５を、便座１５を倒伏させた状態で、殺菌光を照射させるように殺菌光照射部２０を制御する構成としている。また、制御部２５を、便蓋１６を閉鎖させた状態で、殺菌光を照射させるように殺菌光照射部２０を制御する構成としている。また、制御部２５を、ノズル１８を進出させた状態で、殺菌光を照射させるように殺菌光照射部２０を制御する構成としている。
以下、本実施形態に係る便器装置１において実行される基本動作の一例を、図３を参照して説明する。
【００２７】
図３に示すように、本動作例では、局部洗浄がなされた後、便蓋１６が閉鎖されれば、殺菌光を照射する殺菌モードを実行する構成としている。
つまり、局部洗浄操作部１９のＯＮ操作がなされれば、ノズル１８を洗浄位置に向けて進出させ、洗浄位置となれば、ノズル１８のノズル孔から局部洗浄水を吐出させる。そして、局部洗浄操作部１９のＯＦＦ操作がなされれば、局部洗浄水の供給を停止させ、ノズル１８を収納位置に向けて退入させる。
そして、ノズル１８が収納位置とされた後、便蓋１６が閉鎖されれば、ノズル１８を進出させ、殺菌光照射部２０を起動させる（ＯＮとする）。図例では、便蓋１６の閉鎖、ノズル１８の進出開始及び殺菌光照射部２０の起動が同時になされるように示しているが、適宜の遅延時間等を設けてもよい。
また、便蓋１６の閉鎖は、上記した着座センサーや人体検知センサー等が人体の不在を検出すれば、便蓋閉鎖機構によってなされるものとしてもよく、使用者の操作等によってなされるものとしてもよい。
【００２８】
そして、ノズル１８が洗浄位置となれば、ノズル１８の進出を停止させる。また、リム部１１の内面１３ａ，１３ｂや、便座１５の裏面１５ａ、ボウル部１０の内面１０ａ、ノズル１８の外周面等の殺菌がなされれば、ノズル１８を、収納位置とし、また、殺菌光照射部２０をＯＦＦとする。この殺菌光照射部２０のＯＮ状態、つまり、殺菌モードは、所定時間が経過するまで実行するようにしてもよい。また、図例では、ノズル１８の収納と殺菌光照射部２０のＯＦＦとが同時になされるように示しているが、適宜の遅延時間等を設けてもよい。
【００２９】
なお、上記基本動作は、一例に過ぎず、種々の変形が可能である。
上記した例では、ノズル１８を進出させる際及び退入させる際にも殺菌光を照射させた状態とした例を示しているが、いずれか一方の際のみに殺菌光を照射させる態様としてもよく、または、洗浄位置とされた状態でのみ殺菌光を照射させる態様としてもよい。
また、本動作例では、局部洗浄に伴い殺菌モードが実行される態様とした例を示しているが、このような態様に代えて、または加えて、局部洗浄の実行有無に関わらず、殺菌モードの実行が可能な構成としてもよい。この場合は、便器装置１に、殺菌モードを実行するための殺菌操作部等を設けた態様としてもよい。また、例えば、洗浄水給水機構による洗浄がなされた後に、殺菌モードが実行される態様としてもよい。
また、図例では、局部洗浄に伴い殺菌モードの実行がなされるので、便座１５は、倒伏状態であり、便座１５が倒伏状態であるか否かの判別を省略しているが、便座１５が倒伏状態であるか否かを判別し、殺菌光を照射させる態様としてもよい。つまり、便座１５が倒伏され、かつ便蓋１６が閉鎖された状態で、殺菌光を照射させる態様としてもよい。
【００３０】
本実施形態に係る便器装置１は、上述のような構成としたことで、便座１５の裏面１５ａの清浄性を向上させることができる。
つまり、便座１５を倒伏させた状態で、殺菌光照射部２０に殺菌光を照射させる制御部２５を備えた構成とし、倒伏状態で下方側に向く便座１５の裏面１５ａに殺菌光が透過して照射されるように、リム部１１に透光部１２を設けている。従って、リム部１１の透光部１２を透過した殺菌光を、便座１５の裏面１５ａに照射することができ、便座１５の裏面１５ａの清浄性を向上させることができる。また、リム部１１の上面や裏面１３ａ等を構成する透光部１２の清浄性を向上させることができる。
また、本実施形態では、殺菌光照射部２０を、ボウル部１０の内面１０ａに向けて殺菌光を照射する構成としているので、ボウル部１０の内面１０ａの清浄性を向上させることができる。
【００３１】
また、本実施形態では、ボウル部１０の内面１０ａを、高反射面としている。従って、ボウル部１０の内面１０ａに照射された殺菌光を効果的に反射させることができ、ボウル部１０の内面１０ａの広範囲に亘って殺菌光の反射光を照射することができる。これにより、ボウル部１０の内面１０ａや、リム部１１の内面１３ａ，１３ｂ、便座１５の裏面１５ａ等の清浄性をより効果的に向上させることができる。
【００３２】
また、本実施形態では、制御部２５を、便蓋１６を閉鎖させた状態で、殺菌光照射部２０に殺菌光を照射させる構成としている。従って、ボウル部１０の内面１０ａにおいて反射した殺菌光を、閉鎖状態で下方側に向く便蓋１６の裏面１６ａにも照射することができ、便蓋１６の裏面１６ａの清浄性を向上させることができる。また、便蓋１６が閉鎖された状態で殺菌光の照射がなされるので、人体に対する殺菌光の影響を抑制することができる。
【００３３】
また、本実施形態では、閉鎖状態で下方側に向く便蓋１６の裏面１６ａを、高反射面としている。従って、便蓋１６の裏面１６ａに照射された殺菌光を反射させることができ、倒伏状態で上方側に向く便座１５の表面や、ボウル部１０の内面１０ａに、より効果的に殺菌光を照射することができ、これらの清浄性を効果的に向上させることができる。
【００３４】
また、本実施形態では、制御部２５を、進退自在とされた局部洗浄用のノズル１８を進出させた状態で、殺菌光照射部２０に殺菌光を照射させる構成としている。従って、ボウル部１０の内面１０ａにおいて反射した殺菌光をノズル１８の外周面に照射することができ、ノズル１８の清浄性を向上させることができる。特に、本実施形態では、ボウル部１０の内面１０ａや便蓋１６の裏面１６ａにおいて反射した殺菌光をノズル１８の外周面に照射することができるので、ノズル１８の外周面の概ね全周に亘って殺菌光を効果的に照射することができる。なお、このような態様に代えて、または加えて、ノズル１８を収納位置とした状態で、殺菌光照射部２０に殺菌光を照射させる殺菌モードを実行可能とした態様等としてもよい。
【００３５】
また、本実施形態では、リム部１１の突出部位の全体を透光部１２としている。従って、リム部１１の上面の大半や突出部位の先端面、裏面１３ａが透光部１２によって構成されることとなり、これらの清浄性を向上させることができる。なお、このような態様に代えて、リム部１１の突出部位の先端部を非透光部としたり、リム部１１の外周側部位も透光部とした態様等としてもよく、その他、種々の変形が可能である。
【００３６】
次に、本発明に係る他の実施形態について、図面を参照しながら説明する。
図４及び図５は、第２実施形態に係る便器装置を模式的に示す図である。
なお、上記第１実施形態との相違点について主に説明し、同様の構成については、同一の符号を付し、その説明を省略または簡略に説明する。
【００３７】
本実施形態に係る便器装置１Ａは、図４及び図５に示すように、リム部１１Ａ及び殺菌光照射部２０Ａの構成が上記第１実施形態とは主に異なる。
本実施形態では、殺菌光照射部２０Ａを、殺菌光源２１からの殺菌光を導光する導光部２２をリム部１１Ａに沿わせるように設けた構成としている。また、図４及び図５（ｂ）に示すように、殺菌光源２１を、ボウル部１０外に設けた構成としている。図例では、ボウル部１０の便器奥行方向奥側の便器本体内に設けた例を示している。
【００３８】
導光部２２は、リム部１１Ａに沿うように、長尺状とされている。
この導光部２２は、長手方向の端部に設けられた入射面２３から入射された殺菌光を導光しながら、その側周面（外周面）の出射面２４から出射する構成とされている。本実施形態では、単一の導光部２２を、ボウル部１０の便器奥行方向奥側部位における便器幅方向一方側部位から便器幅方向他方側部位に亘ってリム部１１Ａに沿わせるように設け、長手方向両端部に入射面２３，２３を設けた構成としている。図例では、単一の導光部２２をリム部１１Ａに沿わせるように、平面視して略Ｕ字状に設けた例を示している。また、これら両入射面２３，２３のそれぞれに、殺菌光源２１，２１を対向配置した構成としている。これら入射面２３，２３は、殺菌光源２１，２１からの殺菌光が効果的に入射されるように適宜の形状とされたものとしてもよい。
【００３９】
また、本実施形態では、この導光部２２を、リム部１１Ａの透光部１２Ａの下面側に設けた構成としている。つまり、導光部２２の上面側の出射面２４から出射された殺菌光が透光部１２Ａを介して便座１５の裏面１５ａに照射される構成としている。
また、本実施形態では、この導光部２２を、リム部１１Ａの内面の一部を構成するように設けている。
本実施形態では、透光部１２Ａの下面側に、導光部２２を受け入れる、平面視におけるボウル部１０中心側及び下方側に向けて開口する切欠状の凹所を設け、この凹所に、長手方向に見て略矩形状とされた導光部２２を納めるように設けた構成としている。また、導光部２２の上面側の出射面２４を凹所の下面に当接させ、導光部２２の外側周面（平面視におけるボウル部１０の外方側に向く面）を、凹所の平面視におけるボウル部１０中心側に向く面に当接させた構成としている。また、リム部１１Ａの内面を構成する裏面１３Ａａと導光部２２の下面側の出射面２４とが略面一状となるように導光部２２を設けている。また、透光部１２Ａの突出方向先端面と導光部２２の内側周面（平面視におけるボウル部１０の中心側に向く面）とが略面一状となるように導光部２２を設けている。
【００４０】
つまり、導光部２２の下面側の出射面２４がリム部１１Ａの裏面１３Ａａを構成するように、導光部２２を設けた構成としている。この導光部２２の下面側の出射面２４から出射された殺菌光は、ボウル部１０の内面１０ａの上端側部位や、リム部１１Ａの裏面１３Ａａ、内側周面１３ｂ、凹溝１３の溝幅方向他方側の溝内側面等に照射される。
なお、図例では、導光部２２の下面側の出射面２４を、下方側に向く平坦面状とした例を示しているが、導光部２２の長手方向に見て、斜め下方側に向く傾斜面としたり、また、平坦面状とせずに、凸湾曲面形状や凹湾曲面形状等としてもよい。また、この導光部２２は、上面側及び下面側の出射面２４，２４に加え、平面視におけるボウル部１０の中心側に向く面となる内側周面が出射面とされたものとしてもよい。この場合は、この内側周面を、導光部２２の長手方向に見て、斜め下方側に向く傾斜面等としてもよい。また、導光部２２の外側周面を反射面としてもよい。また、導光部２２は、アクリル樹脂やポリカーボネート樹脂等の透光性または透明の樹脂系材料や、ガラス等の屈折率の高い材料から形成されたものとしてもよい。
【００４１】
本実施形態に係る便器装置１Ａにおいても、上記同様の基本動作の実行が可能であり、また、上記した第１実施形態と略同様の効果を奏する。
また、本実施形態では、殺菌光源２１からの殺菌光を、リム部１１Ａに沿わせるように設けられた導光部２２によって導光し、照射する構成としている。従って、上記第１実施形態のようなものと比べて、導光部２２の上面側の出射面２４から出射された殺菌光を、より効果的にリム部１１Ａの透光部１２Ａを透過させて便座１５の裏面１５ａに照射することができる。
また、本実施形態では、導光部２２の下面側も出射面２４としているので、この下面側の出射面２４から出射された殺菌光を、ボウル部１０の内面１０ａや、リム部１１Ａの内面１３Ａａ，１３ｂ等に、より効果的に照射することができる。なお、このような態様に代えて、導光部２２の下面を反射面としてもよい。
【００４２】
また、本実施形態では、導光部２２を、リム部１１Ａの裏面１３Ａａの一部を構成するように設けた例を示しているが、このような態様に代えて、または加えて、リム部１１Ａの内側周面１３ｂや溝幅方向他方側に向く面の少なくとも一部を構成するように設けてもよい。
また、導光部２２をリム部１１Ａにおいて露出させるように設けた態様に加えて、リム部１１Ａ（透光部１２Ａ）に埋込状に設けた態様としてもよい。さらには、このような導光部２２を設けずに、殺菌光源２１を殺菌光照射部として把握し、透光部１２Ａを、この殺菌光源からの殺菌光を導光しながら透過させて便座１５の裏面１５ａに照射する導光部として把握するようにしてもよい。
【００４３】
次に、本発明に係る更に他の実施形態について、図面を参照しながら説明する。
図６は、第３実施形態に係る便器装置を模式的に示す図である。
なお、上記各実施形態との相違点について主に説明し、同様の構成については、同一の符号を付し、その説明を省略または簡略に説明する。
【００４４】
本実施形態に係る便器装置１Ｂは、図６に示すように、導光部２２Ａをリム部１１Ａの内面１３ａ，１３ｂから離間させて設けた点が上記第２実施形態とは主に異なる。
本実施形態では、上記第１実施形態と同様なオープンリム型のリム部１１の内面１３ａ，１３ｂに出射面２４Ａを対面させるように導光部２２Ａを設けている。
【００４５】
導光部２２Ａは、リム部１１の内面１３ａ，１３ｂとの間に適宜の隙間が形成されるように、リム部１１に沿って設けられている。この導光部２２Ａとリム部１１の内面１３ａ，１３ｂとの隙間は、導光部２２Ａの長手方向に沿って概ね一様とされたものとしてもよい。
また、本実施形態では、この導光部２２Ａを、平面視してボウル部１０の中心側に露出しないように、凹溝１３内に位置するように設けた構成としている。つまり、便蓋１６及び便座１５を開放（起立）させた状態で、平面視してリム部１１の突出部位としての透光部１２によって覆われるように導光部２２Ａを設けた構成としている。
また、本実施形態では、この導光部２２Ａを、長手方向に見て略円形状とし、外周面の略全面を出射面２４Ａとしている。
【００４６】
この導光部２２Ａの出射面２４Ａから出射された殺菌光は、透光部１２を介して便座１５の裏面１５ａに照射される。また、この導光部２２Ａの出射面２４Ａから出射された殺菌光は、ボウル部１０の内面１０ａの上端側部位や、リム部１１の裏面１３ａ、内側周面１３ｂ、凹溝１３の溝幅方向他方側の溝内側面、閉鎖状態の便蓋１６の裏面１６ａ等にも照射される。
なお、図例では、導光部２２Ａを、その軸心と、リム部１１の裏面１３ａと内側周面１３ｂとの境界部と、が略同高さとなるように配した例を示しているが、このような態様に限られない。また、導光部２２Ａの長手方向の適所を吊下状に保持する保持部を、リム部１１の適所に設けた構成としてもよい。
【００４７】
本実施形態に係る便器装置１Ｂにおいても、上記同様の基本動作の実行が可能であり、また、上記した第２実施形態と略同様の効果を奏する。
また、本実施形態では、導光部２２Ａの外周面の略全面を出射面２４Ａとし、この出射面２４Ａをリム部１１の内面１３ａ，１３ｂに対面させるように導光部２２Ａを設けている。従って、上記第２実施形態のようなものと比べて、より広範囲に亘って殺菌光を照射することができる。
【００４８】
なお、上記第２実施形態及び第３実施形態では、導光部２２，２２Ａを、ボウル部１０の内面１０ａやリム部１１，１１Ａの内面１３ａ，１３Ａａ，１３ｂにも殺菌光を照射するように設けた構成とした例を示しているが、このような態様に限られない。
また、上記第２実施形態及び第３実施形態では、単一の導光部２２，２２Ａを、リム部１１，１１Ａの周方向の概ね全体に亘って設け、長手方向両端部のそれぞれに、殺菌光源２１，２１を対向配置させた入射面２３，２３を設けた構成とした例を示しているが、このような態様に限られない。例えば、単一の導光部２２，２２Ａを、リム部１１，１１Ａの周方向の概ね全体に亘って設け、長手方向一端部のみに、殺菌光源２１を対向配置させた入射面２３を設けた態様としてもよい。また、リム部１１，１１Ａの周方向に間隔を空けて設けられた複数の導光部２２，２２Ａの長手方向一端または両端に、殺菌光源２１を対向配置させた入射面２３を設けた態様としてもよい。
【００４９】
また、上記各実施形態では、リム部１１，１１Ａをオープンリムとした例を示しているが、このような態様に限られず、リム部１１，１１Ａを、多数のリム孔が下面に設けられ通水路を区画する中空筒状とされたものとしてもよい。この場合において、上記第２実施形態及び第３実施形態のような導光部２２，２２Ａを設ける場合には、中空部内に設けるようにしてもよい。
また、上記各実施形態では、ボウル部１０の内面１０ａ及び便蓋１６の裏面１６ａを、高反射面とした例を示しているが、両方または一方を、上記のような高反射面とせずに無処理の面としてもよい。
また、上記した動作例では、便蓋１６を閉鎖させた状態で、殺菌光照射部２０，２０Ａに殺菌光を照射させる構成とした例を示しているが、このような態様に代えて、便蓋１６を開放させ、便座１５を倒伏させた状態で、殺菌光を照射させる態様等としてもよい。
【符号の説明】
【００５０】
１，１Ａ，１Ｂ  便器装置
１０            ボウル部
１０ａ          内面（高反射面）
１１，１１Ａ    リム部
１２，１２Ａ    透光部
１５            便座
１５ａ          裏面
１６            便蓋
１６ａ          裏面（高反射面）
１８            ノズル
２０，２０Ａ    殺菌光照射部
２５            制御部
【図１】
2017008607.tif 000003
【図２】
2017008607.tif 000004
【図３】
2017008607.tif 000005
【図４】
2017008607.tif 000006
【図５】
2017008607.tif 000007
【図６】
2017008607.tif 000008